(57)【要約】      （修正有）【課題】構造が簡単で優れた耐圧特性を有し、多方面的に使用できる組み立て用の段ボール製構成体とこの構成体を組み立ててなる構造体を提供すること。【解決手段】構成体４０は、両端部を接着することによって多角柱形状に形成され、上端に連続する折りしろを内方に折り曲げて上端開口が形成され、下端に備えた係合片を有する折りしろを折り曲げ当該係合片を係合させることによって底面が形成された側壁板４４の内面側に、側壁板４４と相同な多角柱形状の内枠体４５を、側壁体４４に当接させた状態で着脱自在に組み込み構成した。【選択図】図１０
2006296925.tif 000002
【特許請求の範囲】
【請求項１】
両端部を接着することによって多角柱形状に形成され、上端に連続する折りしろを内方に折り曲げて上端開口が形成されそして下端に備えた係合片を有する折りしろを折り曲げ当該係合片を係合させることによって底面が形成される側壁板と、前記多角柱形状と相同な多角柱形状に形成され、前記側壁板の内面側に当接させた状態で着脱自在に組み込まれる内枠体とを有する、段ボール製の組み立て用構成体。
【請求項２】
前記側壁板の底面が別体の底板として形成されており、側壁板の下端に連続して内方に折り込まれる折りしろに固着されることを特徴とする請求項１記載の組み立て用構成体。
【請求項３】
前記組み立て用構成体において、矩形体の中央部を折り畳みかつこの折り畳み方向と直交する向きに折り曲げて多角柱形状に形成され、前記側壁板の中に着脱自在に組み込まれる内枠体がさらに含まれることを特徴とする請求項１または２に記載の段ボール製の組み立て用構成体。
【請求項４】
前記内枠体は、前記側壁板に当接しない折り線を有し、水平断面が略星形状に折り曲げられることを特徴とする請求項１または２に記載の段ボール製の組み立て用構成体。
【請求項５】
前記側壁板に、上端もしくは下端のいずれかまたは両方の折りしろによって支持される芯材がさらに備えられていることを特徴とする請求項１〜４のいずれかに記載の、段ボール製の組み立て用構成体。
【請求項６】
前記内枠体の上端周端縁部に係合可能な大きさを有する蓋体がさらに備えられていることを特徴とする請求項１〜５のいずれかに記載の段ボール製の組み立て用構成体。
【請求項７】
請求項１〜６のいずれかに記載の組み立て用構成体を組み立ててなり、収納ケース、簡易トイレ、または、椅子のいずれかとして使用されることを特徴とする段ボール製の組み立て構造体。
【発明の詳細な説明】
【技術分野】
【０００１】
本発明は段ボール製の組み立て用構成体とこの構成体を組み立ててなる構造体に関するものであり、例えば、地震や火災等の災害時において、災害現場にて簡単に組み立てて使用できる簡易トイレあるいは椅子などとして組み立てできる構成体とこの構成体を組み立てなる構造体に関するものである。
【背景技術】
【０００２】
従来のかかる組み立て用の構成体としては、段ボール材を加工したものが各種提供されている。とりわけ、地震や大火災等の災害時においては、その被害状況によってトイレが使用不能となることが多く、簡易に組み立て使用できるトイレの提供が要請されており、移動・保管等の利便性を考慮して、段ボール材を加工したものが各種提供されている。
【０００３】
一方、近年のアウトドアブームに乗じ、持ち運びに便利で、交通渋滞持などに対応できる簡易トイレや、椅子などの要求度合いも高まっている。
【発明の開示】
【発明が解決しようとする課題】
【０００４】
しかし、従来の係る段ボール製の構造体は不安定な箱体として構成されているため、耐圧強度に難点があり、また、型くずれが起き易いという問題があった。そのため、例えば簡易トイレであると、型くずれすることが原因となって使用時に転倒する危険性が懸念されるものであった。
【０００５】
本発明はこのような課題に鑑みてなされたものであり、その目的は、構成が簡単で容易に製造でき、優れた耐圧特性を有し、保管時のコンパクト化が図れるとともに使用時に容易に組み立てできる組み立て用の段ボール製構成体と、この構成体を組み立ててなる構造体を提供するにある。
【０００６】
本発明の他の目的とするところは、優れた耐圧特性を有し、例えば収納ケースや子供用椅子など、多方面的に使用できる組み立て用の段ボール製構成体と、この構成体を組み立ててなる構造体を提供するにある。
【０００７】
なお、本明細書において、その代表的な実施の態様として簡易トイレを挙げ例示的に説明されているが、簡易トイレの外、例えば収納ケースや子供用椅子などとして使用することもできる。
【課題を解決するための手段】
【０００８】
上記課題を解決するために本発明が採用した手段は、請求項１に係る発明は、両端部を接着することによって多角柱形状に形成され、上端に連続する折りしろを内方に折り曲げて上端開口が形成されそして下端に備えた係合片を有する折りしろを折り曲げ当該係合片を係合させることによって底面が形成される側壁板と、前記多角柱形状と相同な多角柱形状に形成され、前記側壁板の内面側に当接させた状態で着脱自在に組み込まれる内枠体とを有するところに特徴を有する段ボール製の組み立て用構成体として構成されている。
【０００９】
請求項２に係る発明は、請求項１記載の組み立て用構成体において、前記側壁板の底面が別体の底板として形成されており、側壁板の下端に連続して内方に折り込まれる折りしろに固着されるように構成されている。
【００１０】
請求項３に係る発明は、請求項１または２に記載の組み立て用構成体において、矩形体の中央部を折り畳みかつこの折り畳み方向と直交する向きに折り曲げて多角柱形状に形成され、前記側壁板の中に着脱自在に組み込まれる内枠体がさらに含まれるように構成されている。
【００１１】
請求項４に係る発明は、請求項１または２に記載の段ボール製の組み立て用構成体において、前記内枠体は、前記側壁板に当接しない折り線を有する略星形柱状に形成されるように構成されている。
【００１２】
請求項５に係る発明は、請求項１〜４のいずれかに記載の組み立て用構成体において、前記側壁板に、上端もしくは下端のいずれかまたは両方の折りしろによって支持される芯材がさらに備えられるように構成されている。
【００１３】
請求項６に係る発明は、請求項１〜５のいずれかに記載の組み立て用構成体において、前記内枠体の上端周端縁部に係合可能な大きさを有する蓋体がさらに備えられるように構成されている。
【発明の効果】
【００１４】
上記各請求項の発明に係る組み立て用構成体によると、構造が簡単であるために容易に製造でき、保管時や搬送時にコンパクトに収容できる。そして、例えば自然災害時に被災現場において子供でも簡単かつ短時間で組み立てできる。
【００１５】
また、段ボール製であるにもかかわらず、従来の係る構造物よりも耐圧特性に優れているため、横向きに型くずれし難い。すなわち、例えば簡易トイレとして使用されたとしても、使用時に転倒することがなく、安心して用を足すことができる。
構造が簡単で容易に製造でき、保管時のコンパクト化が図れ、例えば自然災害時に、被災現場まで容易に搬送できかつ容易に組み立て使用するできる構造体が、組み立てできる。
【００１６】
また、側壁体の上端開口が、側壁板の上端に連続する折りしろを内方に折り曲げてあるので、この部分に手を当て横移動させても切り傷などの傷を負うことがない。
【００１７】
さらに、隣接する側壁板の折り曲げ部分を互いに衝合わせることができ、耐圧特性、横方向の揺動ズレが防止でき、型くずれしない構造体として組み立てできる。
【００１８】
特に、請求項３の発明に係る組み立て用構成体によると、矩形体の中央部を折り畳みかつこの折り畳み方向と直交する向きに折り曲げて多角柱形状に形成された内枠体がさらに含まれ、互いに隣接する折り曲げ部分を互いに衝合わせるように構成されているため、より耐圧特性を向上させることができ、横ズレや型くずれの防止できる構造体として組み立てできる。
【００１９】
請求項４の発明に係る組み立て用構成体によると、組み立てた側壁板より内方の位置に、前記側壁板に当接しない折り線を有し水平断面が略星形状に折り曲げた内枠体を組み付けるように構成されているため、より耐圧特性を向上させることができ、横ズレや型くずれの防止できる構造体として組み立てできる。
【００２０】
請求項５の発明に係る組み立て用構成体によると、前記側壁板に備えた折りしろによって支持される芯材をさらに備えるように構成されているため、より耐圧特性を向上させることができ、横ズレや型くずれの防止できる構造体として組み立てできる。
【００２１】
請求項６の発明に係る組み立て用構成体によると、前記内枠体の上端周端縁部に係合可能な大きさを有する蓋体をさらに備えるように構成されているため、内枠体の上端周端縁部に、蓋体外周端部を衝合させることができ、耐圧特性、横方向の揺動ズレが防止でき、型くずれしないとして組み立てできる。
【発明を実施するための最良の形態】
【００２２】
以下、本発明の実施の形態を実施例に基づいて詳細に説明するが、その代表的なものを例示したに過ぎず、以下の実施例により本発明が限定されるものではない。
【００２３】
図１は、組み立て式子供用椅子１０（実施例１）の概略斜視図である。図２は同子供用椅子１０を組み立てる各構成体の展開図であり、図２（ａ）は底板１１、図２（ｂ）は側壁板１３、図２（ｃ）は芯材１７、図２（ｄ）は内枠体１８であり、これらはいずれも段ボールをトムソン刃にて抜き加工することにより作製されている。
【００２４】
実施例１の組み立て式椅子１０は、ビス止め固定するするための穴１２を有する底板１１と、他端側に接着させて八角形柱を形成するための糊しろ１３ａを有するとともに、下端側に連続して内方に折り込まれる折りしろ１４ａならびに、上端側に連続して内方に折り込まれる折りしろ１４ｂを有する側壁板１３と、折り線に従って折り曲げられ、折りしろ１４ｂにより包み込まれるように支持される芯材１７と、折り線にしたがってその中央部を折り畳みされ、かつ、この折り畳み方向と直交する向きに折り曲げて底板１１と相似な八角柱を形成するための内枠材１８と、内枠体の上端周端縁部に係合される蓋体１９と、を含みから構成されている。
【００２５】
底板１１は正八角形のボードとして作製されている。各辺１１ａの中央部内方には、ビス止め固定するするための穴１２が穿設されている。
【００２６】
側壁板１３は、段ボールの流れ方向に長い方形状に抜き加工されたものであり、底板１１と相似な八角形柱を形成するための折り線１４ｃが形成されており、側壁板１３の一端には、他端側に接着させて八角形柱を形成するための糊しろ１３ａが設けてある。側壁板１３の下端側に連続して内方に折り込まれる折りしろ１４ａと、上端側に連続して内方に折り込まれる折りしろ１４ｂが備えられており、折りしろ１４ａには前記底板１１に備えた穴１２と対応する位置に、ビスなどでビス止め固定するための穴１３ｂが穿設されている。
【００２７】
芯材１７は、段ボールの流れ方向に長い方形状に抜き加工されたものであり、底板１１と相似な八角柱を形成するための折り線１７ａが形成されている。なお、側壁板１３とは異なり、八角形柱を形成するための糊しろ１３ａは設けられていない。なお、このような芯材１７が組み込まれていると、より耐圧特性を向上させることができ、横ズレや型くずれの防止できる構造体として組み立てできるので好ましいが、芯材が組み込まれていない場合も本発明の一実施の態様とする。
【００２８】
内枠体１８は、段ボールの流れ方向に長い矩形状に抜き加工され前記側壁板の中に着脱自在に組み込まれるものである。中央部１８ａを折り畳み、かつ、この折り畳み方向と直交する向きに折り曲げて底板１１と相似な八角柱を形成するための折り線１８ｂが形成されている。内方に折り曲げる折り曲げ部１８ｃと折り曲げ部１８ｃの間には僅かな隙間１８ｄが形成されており底板１１と相似な八角柱を形成し易くすると共に、折り線部分と折り線部分を線衝合させて、横ズレや型くずれの防止するようになっている。
【００２９】
蓋体１９は、底板１１とほぼ同一の寸法形状でボードに形成されており、前記穴１２に類する穴は穿設されていない。なお、このような蓋体１９が組み込まれていると、より耐圧特性を向上させることができ、横ズレや型くずれの防止できる構造体として組み立てできるので好ましいが、蓋材組み込まれていない場合も本発明の一実施の態様とする。
【００３０】
ついで、実施例１の組み立て式椅子１０の組み立て方について、図３〜６を参照しながら説明する。
【００３１】
先ず、側壁板１３の折り線１４ｃにしたがって折り曲げ、側壁板１３の一端に備えた糊しろ１３ａを他端側に接合させ、底板１１と相似な正八角柱を形成する。ついで、側壁板１３の下端側に連続する折りしろ１４ａを内方に折り込み、折りしろ１４ａの上に、底板１１に備えた穴１２と、折りしろ１４ａに備えた穴１３ｂが重なるようにセットし、ビスなどでビス止め固定する。
【００３２】
ついで、芯材１７を折り線１７ａにしたがって折り曲げ，底板１１と相似な八角柱を形成し、側壁板の折りしろ１４ｂを内方に折り曲げ、芯材１７の上端部を包み込むように着脱自在に組み込む。なお、芯材１７を備えない場合には、この工程を実施せず、次の工程に進むこと無論である。
【００３３】
つぎに、中央部を折り線１８ａにしたがって折り畳んだ内枠体１８を、内方に折り曲げた折りしろ１４ｂに添わせながらセッし、折り畳み方向と直交する向きに折り曲げながら組み込まれる。上端周端縁部に蓋体１９が載置されると、実施例１の構造体１０が組み上がる。なお、蓋体１９を備える必要がない場合には、蓋体１９を備える工程を省略できること無論である。
【００３４】
つぎに、図７は、段ボール製組み立て式簡易トイレ４０（実施例２）の概略斜視図であり、これらはいずれも段ボールをトムソン刃にて抜き加工してなる板状の各構成体を組み立てることによって作製されたものである。
【００３５】
この簡易トイレ４０は、側壁体４４に蓋部材４３が回動自在に取り付けられており、前記蓋体１９が便座として使用される点（図７参照）、側壁板４４の下端に連続する折りしろ４４ａ、４４ｂ、４４ｃ、４４ｄ、４４ｅに係合片４４ａ’、４４ｂ’、４４ｃ’、４４ｄ’、４４ｅ’が備えられ（図８（ａ）参照）、折りしろ４４ａ、４４ｂ、４４ｃ、４４ｄ、４４ｅを折り曲げて各係合片４４ａ’、４４ｂ’、４４ｃ’、４４ｄ’、４４ｅ’を係合させることによって底面４１が形成されるように構成されている点（図８（ｂ）参照）、内枠体４５は、側壁板４１の内面側に当接しない折り線部分４５ａを有する略星形の中空柱状に形成されている点の３点を除き、大要、上記実施例１の椅子１０（実施例１）と実質的に同一に構成されているものである。
【００３６】
また、側壁体４１には蓋部材４３がプラネジで取り付けされており、上端開口に対して回動自在に冠着できるようになっている。なお、前記蓋体４９は便座として使用される（図１０参照）。
【００３７】
内枠体４５は、中央部を折り畳むとともに、この折り畳み方向と直交する向きに折り曲げ、側壁板４４に当接しない折り線部分４５ａを有する略星形の中空柱状に組み立てられ、側壁板４４の内面側に中に着脱自在に組み込まれる（図９参照）。互いに隣接する折り曲げる部分の間には僅かな隙間が形成されている点は上記の通りである。
【００３８】
簡易トイレ４０において、高分子吸水体や脱臭剤などを収納した収容袋Ｘの下方を、内枠体４５の内部に入れた状態で、収容袋Ｘの上方開口部を側壁体４４と内枠体４５の上端部に被せると共に、側壁体４４の周縁部に係合させる。  そして、収容袋に排泄物を収容した後には、収容袋Ｘを取り外すと共に、蓋部材４３を回動させて開口部分を閉塞する。これにより、収容袋Ｘ内の臭気を遮断すると共に、ハエ等の侵入を防止することができる。なお、繰り返し使用することを考慮すると、収容袋Ｘの上方開口部を、蓋部材と上端開口部との間に挟み込み、蓋体４９（便座）を包み込むようにすることが衛生上好ましい。
【００３９】
つぎに、図１１は、組み立て式収納ケース６０（実施例３）構成する各構成体の展開図であり、これらはいずれも段ボールをトムソン刃にて抜き加工してなる板状に形成されている。図１１（ａ）は有底の箱形状に組み立てられる側壁体６１、図１１（ｂ）は半割れ内枠体７１、図１１（ｃ）は半割れ内枠体７１を接合するための接合体７５である。
【００４０】
図において、側壁体６１は、組み立て後に有底箱形状に形成されるものであり、収納ケース６０の底面となる本体部分６２と、本体部分６２に連続し折り線６３ａ、６３ｂにしたがって上方に折り曲げられる折りしろ６４ａ、６４ｂとからなり、折りしろ６４ａには折り線６４ｃが備えられている。また、折りしろ６４ａ、６４ｂには、互いに隣接する折りしろの間を結合させて有底の箱形状に固定するためのネジ取り付け穴６５ａが穿設されており、さらに、折りしろ６４ａには、後述する内枠体を固定するためのネジ取り付け穴６５ｂが穿設されている。
【００４１】
内枠体７０は、両側にネジ取り付け穴７２を有し、折り線７３にしたがって折り曲げられその両端を互いに衝合させる２枚の半割れ内枠体７１と、前記ネジ取り付け穴７２と重なる位置に穿設されたネジ取り付け穴７４を有し前記内枠体７１を筒状に接合固定させる接合体７５とから構成されており、半割れ内枠体７１の下端部にはネジ取り付け穴７２ａが、前記ネジ取り付け穴６５ｂと重なる位置にそれぞれ穿設されている。
【００４２】
また、内枠体７０（半割れ内枠体７１）の上方には、所望する所定間隔で半断ちの切り込み線７６が半径方向に備えてある。半断ちの切り込み線７６に添って切断することにより、収納ケース６０の高さを自在調整できるようになっている（図１２参照）。すなわち、収納スペースの高さに見合う高さに自在に改造できるため、実用性という観点において極めて好都合である。なお、従来の係る段ボール製の収納ケースにおいて、カッタナイフやハサミなどを使用して半径方向に切断すると、切断線が歪んだり切り口が互い違いになるなど、半径方向に綺麗に切断できずに誠に見苦しい結果になるという不具合があったことを付記しておく。
【００４３】
最終組み立て構造物である収納ケース６０の上端開口を覆う蓋８０は、上記側壁体と実質同一の展開図で示すことができ同様に組み立てられるものであるため、上記記載を援用する（その詳細は繰り返して述べない。）
【図面の簡単な説明】
【００４４】
【図１】図１は、子供用椅子（実施例１）の概略斜視図である。
【図２】図２は同子供用椅子の各構成体の展開図であり、図２（ａ）は底板、図２（ｂ）は側壁板、図２（ｃ）は芯材、図２（ｄ）は内枠体であり、これらはいずれも段ボールをトムソン刃にて抜き加工することにより一体形成されている。
【図３】図３は側壁板に底板を組み付けている様子を示す概略分解斜視図である。
【図４】図４は側壁板に心材を組み付けている様子を示す概略分解斜視図である。
【図５】図５は側壁板に内枠体を組み付けている様子を示す概略分解斜視図である。
【図６】図６は、蓋体を組み付けている様子を示す概略分解斜視図である。
【図７】図７は、簡易トイレ（実施例２）を模式的に示す斜視図である。
【図８】図８（ａ）は、同簡易トイレの側壁体底面を組み立てている様子を底面側から観察した概略斜視図であり、図８（ｂ）は、組み立て後の側壁体底面を底面側から観察した概略斜視図である。
【図９】図９は、同簡易トイレの側壁板の中に、内枠体を組み込んでいる様子を模式的に示す分解斜視図である。内枠体は、中央部を折り畳むとともに、この折り畳み方向と直交する向きに折り曲げ、側壁板に当接しない折り線部分を有する、水平断面が略星形の中空柱状に形成されている。
【図１０】図１０は、蓋体を組み込んでいる様子を示す分解斜視図である。
【図１１】図１１は、組み立て式収納ケース（実施例３）構成する各構成体の展開図であり、図１１（ａ）は有底の箱形状に組み立てられる側壁体、図１１（ｂ）は半割れ内枠体と、２枚の半割れ内枠体７１を接合するための接合体である。これらはいずれも段ボールをトムソン刃にて抜き加工してなる板状体として一体形成されている。
【図１２】図１２は、内枠体の組み立て法を模式的に示す分解斜視図である。
【図１３】図１２は、組み立て式収納ケースの組み立て法を模式的に示す分解斜視図である。
【符号の説明】
【００４５】
１０  …  組み立て式子供用椅子
１１  …  底板
１１ａ…  辺
１２  …  穴
１３  …  側壁板
１３ａ…  糊しろ
１３ｂ…  穴
１４ａ，１４ｂ  …  折りしろ
１４ｃ  …折り線
１７  …  芯材
１７ａ…  折り線
１８  …  内枠体
１８a…  中央部
１８b…  折り線
１８ｃ…  折り曲げ部
１８d…  隙間
１９  …  蓋体
４０  …  簡易トイレ
４１  …  底面
４３  …  蓋部材
４４  …  側壁体
４４ａ〜４４ｅ  …  折りしろ
４４ａ’〜４４ｅ’  …  係合片
４５  …  内枠体
４５ａ…  折り線部分
４９  …  蓋体
６０  …  収納ケース
６１  …  側壁体
６２  …  本体部分
６３ａ，６３ｂ  …  折り線
６４ａ，６４ｂ，６４ｃ  …  折りしろ
６５ａ，６５ｂ  …ネジ取り付け穴
７０  …  内枠体
７１  …  半割れ内枠体
７２  …  ネジ取り付け穴
７２ａ…  ネジ取り付け穴
７３  …  折り線
７４  …  ネジ取り付け穴
７５  …  接合体
７６  …  切り込み線
８０  …  蓋
Ｘ  …  収容袋
【図１】
2006296925.tif 000003
【図２】
2006296925.tif 000004
【図３】
2006296925.tif 000005
【図４】
2006296925.tif 000006
【図５】
2006296925.tif 000007
【図６】
2006296925.tif 000008
【図７】
2006296925.tif 000009
【図８】
2006296925.tif 000010
【図９】
2006296925.tif 000011
【図１０】
2006296925.tif 000012
【図１１】
2006296925.tif 000013
【図１２】
2006296925.tif 000014
【図１３】
2006296925.tif 000015